(57)【要約】【課題】本発明は、予備苗載せ台への苗の積み込みが容易で、作業中の苗切れを少なくできるようにするとともに、予備苗載せ台を大きくする必要性のない場合にも対応できて、効率よく田植え作業を行えるようにした乗用型田植機を提供するものである。【解決手段】自走機体の左右に配設した予備苗載せ台支柱１７，１８に、上下複数段の予備苗載せ台２０〜２２を取付け、左右の各予備苗載せ台支柱１７，１８の、ステアリングハンドル９の最上端部分９ａよりも低い位置に、苗載せ台の苗載置条数の２分の１よりも大なる数の予備苗載せ台２０〜２２を上下に配設し、最下段の前記予備苗載せ台２２を着脱可能にしたものである。【選択図】図３
2010246507.tif 000002
【特許請求の範囲】
【請求項１】
自走車体の後部に、リンク機構を介して複数の条数の苗を載置する苗載せ台を備えた苗植付け装置を設け、自走機体の左右に配設した各予備苗載せ台支柱に上下複数段の予備苗載せ台を取付けた乗用型田植機において、
前記左右の各予備苗載せ台支柱の、ステアリングハンドルの最上端部分よりも低い位置に、前記苗載せ台の苗載置条数の２分の１よりも大なる数の予備苗載せ台を上下に配設し、最下段の前記予備苗載せ台を着脱可能に構成してある乗用型田植機。
【請求項２】
前記最下段の予備苗載せ台を自走機体の走行停止用のブレーキペダルの上端縁よりも下方に配置してある請求項１記載の乗用型田植機。
【請求項３】
前記左右の各予備苗載せ台支柱の、前記ステアリングハンドルの最上端部分よりも高い位置に、予備苗載せ台を着脱自在に取り付けられるように構成してある請求項１または２記載の乗用型田植機。
【請求項４】
前記予備苗載せ台に載置する苗箱又は苗すくい板を予備苗載面に対して押圧付勢するホルダを、上下複数の前記予備苗載せ台に対応して複数備えてある請求項１〜３のいずれか一項に記載の乗用型田植機。
【発明の詳細な説明】
【技術分野】
【０００１】
本発明は、自走車体の後部に、リンク機構を介して複数の条数の苗を載置する苗載せ台を備えた苗植付け装置を設け、自走機体の左右に配設した各予備苗載せ台支柱に上下複数段の予備苗載せ台を取付けた乗用型田植機に関する。
【背景技術】
【０００２】
従来、乗用型田植機の予備苗収容装置としては、特許文献１や特許文献２に示されているように、苗植付け装置の苗載せ台に載置される植付け条数と同数のマット状の予備苗を自走車体に用意しておくことのできる予備苗載せ台を備えたものが知られている。
又、苗載せ台に載置される植付け条数よりも多い数の予備苗を自走車体に収容できる数の予備苗載せ台を備えたものとしては、特許文献３に示されている技術が知られている。
【先行技術文献】
【特許文献】
【０００３】
【特許文献１】特開２００８−８６２８８号公報
【特許文献２】特開２００７−２１５５２０号公報
【特許文献３】特開平９−９８６１８号公報
【発明の概要】
【発明が解決しようとする課題】
【０００４】
乗用型田植機を使って田植えを行う場合、走行方向の前後の畦に、補給用のマット苗を並べておいて往復走行をしながら植付作業を行う。作業中、苗載台の苗残量が少なくなったときに、毎回、予備苗載せ台に載置してある予備苗を使い切るのではなく、畦際近くにきたときに、苗載台上の苗残量が少なくなったときは、通常、予備苗載せ台上の予備苗を使用しないで、畦に並べてある補給用のマット苗を苗載台に補給する。そして、畦と畦との間の走行途中で苗載台の苗残量が少なくなったとき（或いは苗切れが生じたとき）に、予備苗載せ台上の予備苗を苗載台に補給し、畦に到達したときに空になった予備苗載せ台に予備苗を補給する。従って、１０００平方メートル程度の四角の田の場合は、苗載台に予備苗を補給することは少ない。他方、２０００平方メートル或いは３０００平方メートル以上の広い田や細長い田の場合は、畦から畦への片道走行の途中で苗載台上の苗が不足することが多くなる。
【０００５】
従って、地方によって或いは農家によって、予備苗載せ台上の苗を殆ど利用しない場合と、できるだけ予備苗を多く積載できる予備苗載せ台を望まれる場合とがある。
【０００６】
多くの予備苗を積載できるように予備苗載せ台を設ける場合、予備苗載せ台を上方に向けて多段に段数を増やすと、予備苗を補給する位置が高くなり過ぎるので、予備苗の補給を行い難くなる。
【０００７】
本発明は、以上の実情に鑑みて、乗用型田植機に、予備苗を必要最小限の苗載台と同数の予備苗を搭載できる予備苗載せ台を備えている場合、苗載台と同数の予備苗を超える数の予備苗を載置できる予備苗載せ台を備えている場合、或いは、状況に応じて、前者、後者の何れの状態にも対応できるようにしながらも予備苗載せ台への予備苗の積み込み、並びに予備苗載せ台から苗載せ台への苗補給が行い易く使い勝手のよい予備苗収容装置を備えた乗用型田植機を提供することを目的とする。
【課題を解決するための手段】
【０００８】
〔第１発明の構成〕
第１発明の構成は、自走車体の後部に、リンク機構を介して複数の条数の苗を載置する苗載せ台を備えた苗植付け装置を設け、自走機体の左右に配設した各予備苗載せ台支柱に上下複数段の予備苗載せ台を取付けた乗用型田植機において、前記左右の各予備苗載せ台支柱の、ステアリングハンドルの最上端部分よりも低い位置に、前記苗載せ台の苗載置条数の２分の１よりも大なる数の予備苗載せ台を上下に配設し、最下段の前記予備苗載せ台を着脱可能に構成してある。
【０００９】
〔第１発明の作用〕
第１発明によれば、植付け条数よりも多い予備苗を準備できる予備苗載せ台を備えているので、植付け条数と同数の予備苗を準備できる予備苗載せ台しか備えていないものに比べて、畦からの予備苗の補給回数が少なくなり、広い田や細長い田に対応できるようになって、作業効率がよくなる。
【００１０】
通常の大きさの田又は比較的小さな田で田植え作業する場合のように、予備苗載せ台を植付け条数と同数を超えてまで大きくする必要性のない場合には、最下段の予備苗載せ台を取り外す、或いは、最下段の予備苗載せ台を取り付けない仕様にすることによって、軽量化が図れるとともに、車体に近い前方圃場の見通しもよくなり、田植え作業を行いやすくなる利点がある。
【００１１】
しかも、予備苗を載置する予備苗載せ台の段数を減らした場合、増やした場合の何れにおいても予備苗載せ台を、ステアリングハンドルの最上端部分よりも下方に配設することで、圃場端（畦）からの予備苗の積み込みが容易となり、しかも予備苗の苗載せ台への補給も運転者が容易に行うことができる。
【００１２】
〔第１発明の効果〕
第１発明によれば、予備苗載せ台への予備苗の補給並びに苗載せ台への苗補給が容易で、しかも畦からの予備苗の補給回数が少なくなり、省力化が達成されるとともに、狭い田では最下段の予備苗載せ台を取り外すことによって、軽量化が図れるとともに、車体に近い前方圃場の見通しもよくなり、田植え作業を行いやすくり、何れの田でも作業効率を向上させることができるに至った。
【００１３】
〔第２発明の構成〕
第２発明は、第１発明の構成において、前記最下段の予備苗載せ台を自走機体の走行停止用のブレーキペダルの上端縁よりも下方に配置してある。
【００１４】
〔第２発明の作用効果〕
第２発明によれば、最下段の予備苗載せ台をブレーキペダルの上端縁よりも下方の低い位置に配置してあるので、最下段の予備苗載せ台を上部の予備苗載せ台と同じ前後位置に配設することができながら、上段の予備苗載せ台も従来の苗載せ台の条数と同数の予備苗載せ台を備えている乗用型田植機において、予備苗載せ台の高さを変えずに利用でき、従来構造に大幅な設計変更を加えることもなく、最下段の予備苗載せ台を追加することができる。
【００１５】
〔第３発明の構成〕
第３発明は、第１発明または第２発明の構成において、前記左右の各予備苗載せ台支柱の、前記ステアリングハンドルの最上端部分よりも高い位置に、予備苗載せ台を着脱自在に取り付けられるように構成してある。
【００１６】
〔第３発明の作用効果〕
第３発明によれば、最下段の予備苗載せ台を備えた上に、更に予備苗載せ台の数を増やすことができ、田植え作業時に苗切れも少なくなり、又、畦からの予備苗の補給回数も少なくすることができ、田植え作業の作業能率を頗る向上させることができるに至った。
【００１７】
〔第４発明の構成〕
第４発明は、第１発明乃至第３発明のいずれか一つの発明の構成において、前記予備苗載せ台に載置する苗箱又は苗すくい板を予備苗載面に対して押圧付勢するホルダを、上下複数の前記予備苗載せ台に対応して複数備えてある。
【００１８】
〔第４発明の作用効果〕
例えば、最上段の予備苗載せ台に対応する箇所にのみ空の苗箱又は苗すくい板を多段に積んで押さえるホルダを設けると斜め前方の視界が狭まるが、第４発明によれば、ホルダを、上下複数の予備苗載せ台に対応して複数備えてあるので、苗箱又は苗すくい板を上下に分散して保持することができ、前方の視界を狭めることがない。これにより、運転、特に田植え作業中の旋回をしやすい状況に維持することができる。
【図面の簡単な説明】
【００１９】
【図１】乗用型田植機の全体側面図である。
【図２】乗用型田植機の全体平面図である。
【図３】予備苗収容装置の正面図である。
【図４】最大収容形態での予備苗収容状態における最上段と中上段の予備苗載せ台とホルダを示す一部縦断正面図である。
【図５】最大収容形態での空箱収容状態における最上段と中上段の予備苗載せ台と空箱押さえ状態のホルダを示す一部縦断正面図である。
【図６】ホルダの側面図である。
【図７】主予備苗載せ台支柱と上部副予備苗載せ台支柱との接続構造を示す斜視図である。
【図８】主予備苗載せ台支柱と上部副予備苗載せ台支柱の接続状態での横断面図である。
【図９】下部副予備苗載せ台支柱の取付構造を示す分解斜視図である。
【発明を実施するための形態】
【００２０】
以下、本発明の実施の形態を図面に基づいて説明する。
図１は、本発明の実施の形態に係る乗用型田植機の全体側面図である。図２は、本発明の実施の形態に係る乗用型田植機の全体平面図である。これらの図に示すように、本発明の実施の形態に係る乗用型田植機は、左右一対の操向操作および駆動自在な前車輪１，１と左右一対の駆動自在な後車輪２，２とによって自走するよう構成され、かつ、機体前部に設けたエンジン３ａを有した原動部３と、機体後部に設けた運転座席４ａを有した運転部４とが装備された自走機体を備え、この自走機体の機体フレーム５の後部にリンク機構６を介して連結された苗植付け装置１０を備えている。
【００２１】
前記運転部４における運転座席４ａの前方にはステップ２９を備え、原動部３の左右にはステップ２９に連なるサイドステップ２９ａを備え、右側のサイドステップ２９ａに、開口を形成して、その開口から上方に向けて自走機体の走行停止用のブレーキペダル５０が設けられている。このブレーキペダル５０は、踏み操作すると、主クラッチ（図示せず）が切り操作され、走行用のブレーキ（図示せず）が制動操作されるように、クラッチとブレーキに連動連結されている。
【００２２】
この田植機は、４条の田植え作業を行う。
すなわち、前記苗植付け装置１０は、４条の苗載置部１５を形成した苗載せ台１４を備え、リンク機構６が油圧シリンダ７によって機体フレーム５に対して上下に揺動操作されることにより、植付け機体１１の下部に機体横方向に並べて設けた三つの接地フロート１２が田面に接地した下降作業状態と、接地フロート１２が田面から高く上昇した上昇非作業状態とに昇降する。苗植付け装置１０を下降作業状態にして自走機体を走行させると、苗植付け装置１０は、エンジン３ａの出力が回転軸８を介して伝達されて駆動され、植付け機体１１の後部に機体横方向に並べて設けた四つの苗植付け機構１３によって苗植付けを行なう。
【００２３】
すなわち、各苗植付け機構１３は、植付け機体１１に駆動揺動自在なリンク機構を介して支持された植付けアーム１３ａと、この植付けアーム１３ａの先端部に設けた苗植付け爪１３ｂとを備え、植付けアーム１３ａが駆動揺動されることにより、苗植付け爪１３ｂが、苗載せ台１４の下端側に位置する苗取り出し口と圃場との間を上下に往復移動し、苗取り出し口を通過する際、苗載せ台１４に載置されているマット状苗の下端部から一株分のブロック苗を切断して取り出し、このブロック苗を田面に下降搬送して植付けるという苗植え運動を行なう。苗載せ台１４は、各苗植付け機構１３の苗植え運動に連動させて植付け機体横方向に往復移送され、各苗植付け機構１３によるマット状苗からのブロック苗取り出しがマット状苗の横一端側から他端側に向けて順次に行なわれるよう、各苗植付け機構１３に対応するマット状苗を苗植付け機構１３に対して植付け機体横方向に往復移送する。
【００２４】
図１〜図３及び図９に示すように、前記自走機体は、原動部３の左右両横側に予備苗収容装置１６を備えている。左右の予備苗収容装置１６は、機体フレーム５を構成する前車軸ケース４４に立設された主予備苗載せ台支柱１７と、この主予備苗載せ台支柱１７の、ステアリングハンドル９の最上端部分９ａの高さよりも下方の位置において上下２段に並べて支持された中上段（上段）及び中下段（下段）の予備苗載せ台２０，２１と、機体フレーム５を構成するエンジンフレーム２６に着脱自在に接続された下部副予備苗載せ台支柱１８と、この下部副予備苗載せ台支柱１８に着脱自在に接続された最下段の予備苗載せ台２２と、主予備苗載せ台支柱１７に対してその上端部に着脱自在に接続された上部副予備苗載せ台支柱１９と、この上部副予備苗載せ台支柱１９に着脱自在に接続された最上段の予備苗載せ台２３とを備えている。即ち、左右各予備苗収容装置１６には、主予備苗載せ台支柱１７と下部副予備苗載せ台支柱１８と上部副予備苗載せ台支柱１９とからなる予備苗載せ台支柱と、上下４段の左右合わせて計８個の予備苗載せ台２０〜２３を備えている。予備苗載せ台支柱１７〜１９を構成する各支柱本体１７ａ，１８ａ，１９ａはパイプ材で形成されている。
【００２５】
前記主予備苗載せ台支柱１７は、前車軸ケース４４に連結した連結部材２５に固設され、連結部材２５から機体外方に張り出され、予備苗載せ台２０，２１が乗降の邪魔にならない位置まで斜め前方上方に延出され、更に上方に延出されている。
【００２６】
前記下部副予備苗載せ台支柱１８は、エンジンフレーム２６の上面にボルトナット２７で取外し自在に固定され、エンジンフレーム２６から機体外方に張り出され、略水平に斜め後方外方に延出された後、主予備苗載せ台支柱１７の外側に沿うように中下段の予備苗載せ台２１の下まで立設され、一対のボルトナット２８で主予備苗載せ台支柱１７に連結されている。下部副予備苗載せ台支柱１８には、運転座席４ａ前方のステップ２９から機体前方に連なる左右のサイドステップ２９ａの上面高さ近傍位置（最下段の予備苗載せ台２２がサイドステップ２９ａと略同程度の高さ）で最下段の予備苗載せ台２２が前後軸心Ｑ回りで収納姿勢と、予備苗載置姿勢とに姿勢変更自在に取り付けられている。これにより、最下段の予備苗載せ台２２に載置される予備苗４０は、足元高さ近傍に位置することになり、予備苗搭載容量を増大化しながら、予備苗４０の取りやすさが犠牲になり難い。又、最下段の予備苗載せ台２２は、側面視で主予備苗載せ台支柱１７の鉛直線と同位置に位置する下部副予備苗載せ台支柱１８に取り付けられているので上部の予備苗載せ台２０，２１との前後位置が同じになっており、苗の取り扱いが容易である。
【００２７】
最下段の予備苗載せ台２２は、踏み操作されていない自走機体の走行停止用のブレーキペダル５０の上端縁５０ａよりも下方に配置してある。これにより、最下段の予備苗載せ台２２の一つ上の予備苗載せ台２１と接近させないで、その下方に予備苗載せ台の配置空間を確保することができて、上部の予備苗載せ台２０，２１と同じ前後位置に配設する状態で、最下段の予備苗載せ台を追加することができる。
【００２８】
これにより、予備苗載せ台２０〜２２に載置された予備苗は運転座席４に着座したまま取り出すことができ、苗載せ台１４の苗補給の時間短縮（省力化）が可能である。最下段の予備苗載せ台２２をサイドステップ２９ａの高さと略同じ低い位置に設けてあるので、最上段の予備苗載せ台２３の位置も、予備苗４０を載置していない状態での、路上運転に支障のない高さに設定されている。これにより、前方（斜め前方）の視界が遮られず、路上運転をするときに広い視角を確保した状態で運転することができる。最下段の予備苗４０はサイドステップ２９ａよりも上方に位置することになるので、予備苗４０に対して、サイドステップ２９ａの下を通り抜けるエンジン３ａの熱気の影響も受け難く、作業中に予備苗４０が枯れることが回避できる。予備苗載せ台２０〜２３の前後位置並びの左右位置は、従来の予備苗載せ台２０，２１と略同じになるので、予備苗載せ台２０〜２３を多くしたにも拘らず、納屋のスペースを多くとることがなく、従来と同様に余剰スペースを確保することができる。
【００２９】
前記主予備苗載せ台支柱１７は、その基端部を前車軸ケース４４より前方にオーバーハングした状態で配設するとともに、下部副予備苗載せ台支柱１８をエンジンフレーム２６より横外方後方に延出して主予備苗載せ台支柱１７に連結して機体フレーム５を構成するエンジンフレーム２６及び前車軸ケース４４と、主予備苗載せ台支柱１７及び下部副予備苗載せ台支柱１８とを連結してあるので、予備苗載せ台支柱１７及び１８を二点支持として強固に支持している。これにより、予備苗載せ台支柱１７及び１８が、エンジンフレーム２６及び前車軸ケース４４に強固に支持されているだけでなく、エンジンフレーム２６及び前車軸ケース４４が主予備苗載せ台支柱１７及び下部副予備苗載せ台支柱１８によって、ループ状に補強された構成となっている。
【００３０】
上部副予備苗載せ台支柱１９には、主予備苗載せ台支柱１７に連結する連結用部材４５を備えられている。連結用部材４５は、上部予備苗載せ台支柱１９の支柱本体１９ａを構成するパイプの下端に嵌合固定した連結用パイプ材４６と、連結用ブラケット４７で構成されている。連結用パイプ材４６を主予備苗載せ台支柱１７の支柱本体１７ａのパイプ穴１７ｂに嵌合させるとともに、主予備苗載せ台支柱１７に付設したブラケット１７ｃと上部予備苗載せ台支柱１９に付設した連結用ブラケット４７とを、孔１７ｄ，４７ａを一致するように接合させた状態で、一つのボルトナット４８で連結することで、最上段の予備苗載せ台２３が位置決めされた状態で固定される。
【００３１】
左右の予備苗収容装置１６，１６には、ステアリングハンドル９の最上端部分９ａよりも下方の位置に苗載せ台１４の苗載置条数（４条）の２分の１（２条分）よりも大なる１．５倍の数（３条分）の予備苗載せ台２０，２１，２２を上下に配設してある。そして、最下段の予備苗載せ台２２を着脱可能に構成してある。
【００３２】
前記主予備苗載せ台支柱１７、上部副予備苗載せ台支柱１９及び下部副予備苗載せ台支柱１８に取り付けられた上下４段の予備苗載せ台２０〜２３は、各支柱本体１７ａ，１８ａ，１９ａから自走機体横外側に突出し、かつ予備苗載置面が自走機体横外側に至るほど高い外上がりに傾斜する状態で支持されている。
【００３３】
図３は予備苗収容装置１６の最大収容形態での予備苗収容状態を示す正面図、図４は予備苗収容装置１６の最大収容形態での予備苗収容状態における最上段と中上段の予備苗載せ台２０，２３の一部縦断正面図、図５は最大収容形態での空箱収容状態における最上段と中上段の予備苗載せ台と空箱押さえ状態のホルダを示す一部縦断正面図である。上下の予備苗載せ台２０〜２３において、予備苗載せ台２０〜２３の前端部と後端部と左右方向自走機体内側とに滑り止め壁２４が設けられている。これらの滑り止め壁２４間に、一枚のマット状の予備苗４０を載置した苗すくい板４１と共に苗箱４２に入れた状態で、苗箱４２が載置されることにより予備苗収容状態になる。
【００３４】
図３〜図８に示すように、前記主予備苗載せ台支柱１７を、中上段と中下段の予備苗載せ台２０，２１を支持する支柱本体１７ａと、この支柱本体１７ａの上端部に上部副予備苗載せ台支柱１９を固定するためのブラケット１７ｃとを備えさせて構成してある。
【００３５】
前記左右の予備苗収容装置１６において、上部副予備苗載せ台支柱１９は、最上段の予備苗載せ台２３を支持する支柱本体１９ａと、この支柱本体１９ａの上端部に付設したホルダ支持部１９ｂとしてのブラケットと、連結用のパイプ材４６及びブラケット４７を備えた連結用部材４５等で構成されている。ホルダ支持部１９ｂには苗箱４２又は苗すくい板４１を押えるホルダ３０を支持させてある。連結用ブラケット４７には、主予備苗載せ台支柱１７の上段（中上段）の予備苗載せ台２０に載置される苗箱４２又は苗すくい板４１を押えるホルダ３０ａを支持させてある。つまり、前記連結用ブラケット４７はホルダ支持部を兼用している。
【００３６】
図４に示すように、前記上部副予備苗載せ台支柱１９の上端部のホルダ支持部１９ｂに取り付けたホルダ３０は、ホルダ支持部１９ｂに回転自在に連結された基端軸部３１と、この基端軸部３１から延出したアーム部３２と、このアーム部３２の延出端部で成る遊端部３３と、基端軸部３１の近くに位置した位置決め部３４とを備えるように、かつホルダ３０の全体が矩形になるようにループ状に折り曲げ成形された丸棒材によって構成してある。
【００３７】
前記ホルダ支持部１９ｂは、最上段の予備苗載せ台２３の基端部２３ａよりも高い配置高さに配置してあり、かつ支柱本体１９ａから予備苗載せ台２３が位置する側とは反対側に突出させてあり、ホルダ３０の基端軸部３１は、最上段の予備苗載せ台２３の基端部２３ａよりも高い配置高さに位置し、かつ支柱本体１９ａに対して予備苗載せ台２０，２１が位置する側とは反対側に位置ずれした箇所に位置している。
【００３８】
すなわち、前記ホルダ３０は、最上段の予備苗載せ台２３の基端部２３ａよりも高い配置高さに位置し、かつ支柱本体１９ａに対して予備苗載せ台２３が位置する側とは反対側に位置ずれした箇所で上部副予備苗載せ台支柱１９に回転自在に支持されており、基端軸部３１の自走機体前後向き軸心Ｐまわりに揺動昇降操作されることにより、最上段の予備苗載置台２３に収容された苗すくい板４１や苗箱４２を予備苗載せ台２３に押し付け固定した下降作用姿勢と、苗すくい板４１や苗箱４２の押し付けを解除した上昇解除姿勢とに切り換わる。
【００３９】
前記上部副予備苗載せ台支柱１９の下端部の連結用ブラケット（ホルダ支持部４７）に取り付けたホルダ３０ａは、ホルダ支持部４７に回転自在に連結された基端軸部３１ａと、この基端軸部３１ａから延出したアーム部３２ａと、このアーム部３２ａの延出端部で成る遊端部３３ａと、基端軸部３１ａの近くに位置した位置決め部３４ａとを備えるように、かつホルダ３０ａが略ループ状に折り曲げ成形された丸棒材によって構成してある。
【００４０】
前記ホルダ支持部４７は、上段（中上段）の予備苗載せ台２０の基端部２０ａと上下方向で重複する配置高さに配置してあり、かつ支柱本体１９ａから予備苗載せ台２０が位置する側とは反対側に突出させてあり、ホルダ３０ａの基端軸部３１ａは上段（中上段）の予備苗載せ台２０の基端部２０ａの高さと同程度の高さに位置し、かつ支柱本体１９ａに対して予備苗載せ台２０が位置する側とは反対側に位置ずれした箇所に位置している。
【００４１】
すなわち、前記ホルダ３０ａは上段（中上段）の予備苗載せ台２０の基端部２０ａと同程度の高さに配設され、かつ支柱本体１９ａに対して予備苗載せ台２０が位置する側とは反対側に位置ずれした箇所で上部副予備苗載せ台支柱１９に回転自在に支持されており、基端軸部３１ａの自走機体前後向き軸心Ｐａまわりに揺動昇降操作されることにより、上段（中上段）の予備苗載置台２０に収容された苗すくい板４１や苗箱４２を予備苗載せ台２０に押し付け固定した下降作用姿勢と、苗すくい板４１や苗箱４２の押し付けを解除した上昇解除姿勢とに切り換わる。
【００４２】
図５は、予備苗収容装置１６の空苗箱収容状態での縦断後面図である。この図に示すように、予備苗収容装置１６は、空になった二つの苗箱４２，４２を積み重ねて中上段及び最上段の予備苗載せ台２０，２３に載置されることにより、空苗箱収容状態になる。この空苗箱収容状態では、空になった二枚の苗すくい板４１，４１を積み重ね状態にして中上段及び最上段の空の苗箱４２に収納する。
このとき、ホルダ３０，３０ａを軸心Ｐ，Ｐａまわりに下降揺動操作し、ホルダ３０，３０ａの遊端部３３，３３ａを最上段（及び中上段）の苗すくい板４１の上面に当接させると、ホルダ３０，３０ａが下降作用姿勢になる。すると、ホルダ３０，３０ａの基端軸部３１，３１ａの近くに設けたバネ掛け孔３５（図６参照）に一端側が係止されたスプリング３６，３６ａがホルダ３０，３０ａを下降付勢し、ホルダ３０，３０ａは、スプリング３６，３６ａによる下降操作力によって遊端部３３，３３ａを苗すくい板４１に押圧することにより、遊端部３３，３３ａによって二つの空の苗箱４２，４２を最上段（及び中上段）の予備苗載せ台２３に押し付け固定する。
【００４３】
図４は、前記ホルダ３０，３０ａの上昇解除姿勢を示している。この図に示すように、ホルダ３０，３０ａを軸心Ｐ，Ｐａまわりに上昇揺動操作し、位置決め部３４，３４ａがホルダ支持部１９ｂ，４７の側面に当接すると、ホルダ３０，３０ａが上昇解除姿勢になる。すると、ホルダ３０，３０ａの遊端部３３，３３ａが苗箱４２や苗すくい板４１から上昇離間し、ホルダ３０，３０ａは、遊端部３３，３３ａによる苗箱４２や苗すくい板４１の押し付けを解除する。このとき、ホルダ３０，３０ａは、スプリング３６，３６ａによって上昇解除姿勢に保持される。
【００４４】
図４、図５に示すように、前記スプリング３６，３６ａのホルダ３０，３０ａに連結している側とは反対側の端部が、ホルダ支持部１９ｂ，４７に設けたバネ掛けピン３７，３７ａに係止されている。スプリング３６，３６ａのホルダ３０，３０ａに連結している端部は、ホルダ３０，３０ａに付いて昇降する。これにより、スプリング３６，３６ａは、下降作用姿勢に切り換えられたホルダ３０，３０ａを下降付勢し、上昇解除姿勢に切り換えられたホルダ３０，３０ａを上昇付勢して上昇解除姿勢に保持する。
【００４５】
図５に示すように、前記ホルダ３０，３０ａは、基端軸部３１，３１ａと遊端部３３，３３ａとの間に設けた折れ曲がり形の屈曲部３８，３８ａを備え、下降作用姿勢において屈曲部３８，３８ａの作用によって自走機体前後方向視で自走機体上方向きに凸状となり、ホルダ３０，３０ａの基端側と二段積み状態の上段の苗箱４２における側壁４２ａとの当接を回避して二段積み状態の空の苗箱４２，４２を予備苗載せ台２０，２３に押し付ける。
【００４６】
左右の最上段の予備苗載せ台２３を装着してその左右に予備苗４０を載置すると、奥行きの長い大きな圃場で苗植えを行うときなどでは、途中で苗載せ台１４の苗切れが生じても十分に対応でき、田植え作業を効率よく行うことができる。他方、最上段の予備苗載せ台２３を装着した場合は、運転者の背丈にもよるが、目線が最上段の予備苗４０で遮られ、前方左右の見通しが悪くなり、多少の閉塞感を感じることがある。又、片方４段も予備苗４０を積むと走行負荷も増加する。そこで、通常は予備苗載せ台２０〜２３の段数を減らして２段又は下３段で使用し、最上段の予備苗載せ台２３は、支柱１９から取外しておく方が使い勝手がよい。
【００４７】
最上段の予備苗載せ台２３を主予備苗載せ台支柱１７から取り外すには、ブラケット１７ｃと苗押さえ支持部を構成する連結用ブラケット４７とを連結する一本のボルトナット４８を取り外すだけで、上部副予備苗載せ台支柱１９とともに最上部の予備苗載せ台２３を外すことができる。
【００４８】
上部副予備苗載せ台支柱１９に付設のホルダ支持部１９ｂと主予備苗載せ台支柱１７に付設のブラケット１７ｃとは同じ大きさで同じ形状に構成されている。そこで、取り外した上部副予備苗載せ台支柱１９のホルダ支持部１９ｂに取り付けてあるホルダ３０の基端軸部３１に抜け止めを施してある割ピン３９を外して基端軸部３１を抜き取り、合わせてスプリング３６も取り外す。取り外したホルダ３０を、主予備苗載せ台支柱１７に付設してあるブラケット１７ｃの孔１７ｄに基端軸部３１を通して割ピン３９で抜け止めを施すとともに、スプリング３６の一端をバネ掛けピン１７ｅに止着することで、上部副予備苗載せ台支柱１９に取り付けていたホルダ３０を主予備苗載せ台支柱１７に付け替えることができる。そして、上部副予備苗載せ台支柱１９の頂部に被せてあるパイプ穴を塞ぐキャップ４９を主予備苗載せ台支柱１７の頂部に付け替えて、パイプ穴１７ｂを塞ぐことで、予備苗載せ台２０〜２２が３段構成の仕様変更が完了する。
【００４９】
又、普通の圃場での田植え作業では、苗載せ台１４の植付条数と同数の予備苗載せ台２０，２１があれば田植え作業に支障がないことから、最下段の予備苗載せ台２２を取り外すこともできる。最下段の予備苗載せ台２２は、エンジンフレーム２６との連結部と主予備苗載せ台支柱１７との連結部とのボルトナット２７，２８を外すことで、取り外すことができる。
【００５０】
農家の要望に応えて、予備苗載せ台２０〜２３を、工場出荷の段階で、上部副予備苗載台支柱１９と下部副予備苗載せ台支柱１８を外した中上段と中下段の上下２段仕様、上部副予備苗載せ台支柱１９を外した３段仕様、或いは主予備苗載せ台支柱１７に上部副予備苗載台支柱１９と下部副予備苗載せ台支柱１８を取り付けた４段仕様として出荷し、農家で必要に応じて予備苗載せ台２０〜２３の段数を変更するようにしておけば、使用する側の農家にとって使い勝手がよい。
【００５１】
〔別実施の形態〕
上記実施の形態では、最下段と最上段の予備苗載せ台２２，２３を着脱するのに、下部及び上部副予備苗載せ台支柱１８，１９ごと取り外すように構成されているが、下部及び上部副予備苗載せ台支柱１８，１９を取り付けたままで、最下段又は最上段の予備苗載せ台２２，２３のみを着脱自在に構成してもよい。
【産業上の利用可能性】
【００５２】
本発明は、５条以上の苗載せ台１４を備えた乗用型田植機にも適用することができる。
【符号の説明】
【００５３】
６          リンク機構
９          ステアリングハンドル
９ａ        ステアリングハンドルの最上端部分
１０        苗植付け装置
１４        苗載せ台
１７        予備苗載せ台支柱(主予備苗載せ台支柱)
１８        予備苗載せ台支柱（下部副予備苗載せ台支柱）
１９        予備苗載せ台支柱（上部副予備苗載せ台支柱）
２０，２１，２２，２３    予備苗載せ台
３０，３０ａ    ホルダ
４１        苗すくい板
４２        苗箱
５０        ブレーキペダル
５０ａ      ブレーキペダルの上端縁
【図１】
2010246507.tif 000003
【図２】
2010246507.tif 000004
【図３】
2010246507.tif 000005
【図４】
2010246507.tif 000006
【図５】
2010246507.tif 000007
【図６】
2010246507.tif 000008
【図７】
2010246507.tif 000009
【図８】
2010246507.tif 000010
【図９】
2010246507.tif 000011